(57)【要約】【課題】そこで本発明は、コイル内方側に磁性体を配置した電子部品において、そのＬ値を向上させることを目的とする。【解決手段】そして、この目的を達成するために本発明は、渦巻形状のコイル６と、このコイル６の内方側に配置された磁性体８と、コイル６巻回平面に略平行に配置された磁性体９とを備え、磁性体８にはスリット８Ａを、磁性体９にはスリット９Ａを設け、磁性体９におけるスリット９Ａ非形成部の形状はコイル６巻回平面垂直方向からみて磁性体８におけるスリット８Ａ非形成部の形状を少なくとも１以上の倍率で拡大させた略相似形状とし、磁性体９におけるスリット９Ａ非形成部の形状の中心と磁性体８におけるスリット８Ａ非形成部の形状の中心とをコイル６巻回平面垂直方向からみて略同一位置に配置した電子部品としたものである。【選択図】図１
2008277670.tif 000002
【特許請求の範囲】
【請求項１】
渦巻形状のコイルと、
このコイルの内方側に配置された第１の磁性体と、
前記コイル巻回平面に略平行に配置された第２の磁性体とを備え、
前記第１の磁性体には第１のスリットを、
前記第２の磁性体には第２のスリットを設け、
前記第２の磁性体における前記第２のスリット非形成部の形状は
前記コイル巻回平面垂直方向からみて
前記第１の磁性体における前記第１のスリット非形成部の形状を
少なくとも１以上の倍率で拡大させた略相似形状とし、
前記第２の磁性体における前記第２のスリット非形成部の形状の中心と
前記第１の磁性体における前記第１のスリット非形成部の形状の中心とを
前記コイル巻回平面垂直方向からみて略同一位置に配置した
電子部品。
【発明の詳細な説明】
【技術分野】
【０００１】
本発明は、携帯電話等に用いられる電子部品に関するものである。
【背景技術】
【０００２】
従来この種の電子部品は、図３に示されるように、絶縁性樹脂からなる外装体１内に埋設された渦巻形状のコイル２と、このコイル２の内方側に配置された磁性体３と、コイル２の上方、下方に配置された磁性体４とを備え、この磁性体４には渦電流防止用のスリット４Ａを設ける構成としていた。
【０００３】
なお、この出願に関する先行技術文献情報としては、例えば、特許文献１が知られている。
【特許文献１】特開２００３−２０３８１３号公報
【発明の開示】
【発明が解決しようとする課題】
【０００４】
このような従来の電子部品は渦電流の発生に起因するＬ値の低下が問題となっていた。
【０００５】
すなわち、上記従来の構成においては、コイル２に電流を流すことに起因して、このコイル２の内方側に配置された磁性体３内に多くの磁束が流れるため、この磁性体３内において渦電流が発生してしまい、その結果として、この渦電流により発生する逆向きの磁束によりＬ値を低下させてしまっていた。
【０００６】
そこで本発明は、コイル内方側に磁性体を配置した電子部品において、そのＬ値を向上させることを目的とする。
【課題を解決するための手段】
【０００７】
そして、この目的を達成するために本発明は、渦巻形状のコイルと、このコイルの内方側に配置された第１の磁性体と、前記コイル巻回平面に略平行に配置された第２の磁性体とを備え、前記第１の磁性体には第１のスリットを、前記第２の磁性体には第２のスリットを設け、前記第２の磁性体における前記第２のスリット非形成部の形状は前記コイル巻回平面垂直方向からみて前記第１の磁性体における前記第１のスリット非形成部の形状を少なくとも１以上の倍率で拡大させた略相似形状とし、前記第２の磁性体における前記第２のスリット非形成部の形状の中心と前記第１の磁性体における前記第１のスリット非形成部の形状の中心とを前記コイル巻回平面垂直方向からみて略同一位置に配置した電子部品としたものである。
【発明の効果】
【０００８】
この構成により本発明の電子部品は、第１のスリットを設けることにより第１の磁性体における渦電流の発生を抑制するとともに、コイル巻回平面垂直方向からみて第１の磁性体における第１のスリット非形成部の形状を少なくとも１以上の倍率で拡大させた略相似形状とし、第２の磁性体における第２のスリット非形成部の形状の中心と第１の磁性体における第１のスリット非形成部の形状の中心とをコイル巻回平面垂直方向からみて略同一位置に配置したことにより、第１の磁性体で発生した磁束の流れを第２のスリットの存在により阻害する蓋然性を低減することができるため、Ｌ値の向上を実現することができるのである。
【発明を実施するための最良の形態】
【０００９】
（実施の形態１）
以下、本発明の実施の形態１における電子部品について図面を参照しながら説明する。
【００１０】
図１において、本実施の形態における電子部品は、絶縁材料からなる外装体５内に埋設された渦巻形状のコイル６と、このコイル６に電気的に接続されるとともに外装体５からその一部が露出された端子７と、コイル６の内方側に配置された磁性体８と、コイル６の巻回平面に略平行に配置された磁性体９とを備えている。
【００１１】
そして、図２に示すごとく、磁性体８にはスリット８Ａを設けるとともに、磁性体９にはスリット９Ａを設けており、磁性体９におけるスリット９Ａ非形成部の形状はコイル６巻回平面垂直方向からみて磁性体８におけるスリット８Ａ非形成部の形状を少なくとも１以上の倍率で拡大させた略相似形状とし、磁性体９におけるスリット９Ａ非形成部の形状の中心と磁性体８におけるスリット８Ａ非形成部の形状の中心とをコイル６巻回平面垂直方向からみて略同一位置に配置している。
【００１２】
このような構成により、本実施の形態の電子部品は、Ｌ値の向上を実現することができる。以下、その理由について説明する。
【００１３】
まず、図１に示すごとく、コイル６に電流を流すことに起因して、このコイル６の内方側に配置した磁性体８内に多くの磁束が流れるため、この磁性体８内において渦電流が発生するわけであるが、磁性体８内にスリット８Ａを設けることにより、渦電流の発生を抑制することができ、その結果として逆向きの磁束の発生を抑制し、Ｌ値の向上を実現することができる。
【００１４】
さらに、図１、２に示すごとく、磁性体９におけるスリット９Ａ非形成部の形状はコイル６巻回平面垂直方向からみて磁性体８におけるスリット８Ａ非形成部の形状を少なくとも１以上の倍率で拡大させた略相似形状とし、磁性体９におけるスリット９Ａ非形成部の形状の中心と磁性体８におけるスリット８Ａ非形成部の形状の中心とをコイル６巻回平面垂直方向からみて略同一位置に配置したことにより、磁性体８で発生し、コイル６巻回平面に垂直方向に走ってきた磁束が、その進行方向を磁性体９形成平面方向に変化させ、この磁性体９内を流れていこうとする際に、この磁束の流れをスリット９Ａの存在により阻害する蓋然性を低減することができるため、Ｌ値の向上を実現することができるのである。
【００１５】
また、本実施の形態に示すごとく、磁性体９におけるスリット９Ａ非形成部の形状はコイル６巻回平面垂直方向からみて磁性体８におけるスリット８Ａ非形成部の形状を少なくとも１よりも大きな倍率で拡大させた略相似形状とすることにより、磁性体８におけるスリット８Ａ間隔を磁性体９におけるスリット９Ａ間隔よりも小さくすることができ、その結果として、単位体積当たりに流れる磁束の量が最も多い磁性体８内における渦電流の発生を抑制することができるのである。
【産業上の利用可能性】
【００１６】
本発明の電子部品は、Ｌ値を向上させることができるという効果を有し、各種電気機器において有用である。
【図面の簡単な説明】
【００１７】
【図１】本発明の実施の形態１における電子部品の断面図
【図２】本発明の実施の形態１の電子部品における磁性体の分解斜視図
【図３】従来の電子部品の断面図
【符号の説明】
【００１８】
６  コイル
８  磁性体（第１の磁性体）
８Ａ  スリット（第１のスリット）
９  磁性体（第２の磁性体）
９Ａ  スリット（第２のスリット）
【図１】
2008277670.tif 000003
【図２】
2008277670.tif 000004
【図３】
2008277670.tif 000005